(57)【要約】  【課題】証明写真テンプレート機能を備えた証明写真処理装置の配置手段をよりフレキシブルな機能に改善して、印画紙の無駄を無くすことや、通常の縁無しプリントにも対応可能とすること。  【解決手段】本発明の証明写真処理装置は、１枚の証明写真分の枠に対して顔の大きさと位置が所定の大きさと位置に配置されるように、画像の大きさを自動的に拡大／縮小するとともに、顔の位置を所定の中心位置に自動的に配置する比率調整手段と、比率調整した１枚の証明写真分の画像を、所定のサイズの出力媒体に、複数枚分並べたものをプリントデータとして出力する配置手段とを備えた証明写真処理装置において、前記配置手段は、複数の証明写真分の画像どうしの間に余白を調整可能とした。【選択図】      図２
2006154232.tif 000002
【特許請求の範囲】
【請求項１】
１枚の証明写真分の枠に対して顔の大きさと位置が所定の大きさと位置に配置されるように、画像の大きさを自動的に拡大／縮小するとともに、顔の位置を所定の中心位置に自動的に配置する比率調整手段と、
比率調整した１枚の証明写真分の画像を、所定のサイズの出力媒体に、複数枚分並べたものをプリントデータとして出力する配置手段とを備えた証明写真処理装置において、
前記配置手段は、
複数の証明写真分の画像どうしの間の余白を調整可能としたことを特徴とする証明写真処理装置。
【請求項２】
前記配置手段は、
複数の証明写真分の画像どうしの間の余白を調整して、余白を設けて配置するか、否かの何れか一方に選択可能としたことを特徴とする請求項１に記載の証明写真処理装置。
【請求項３】
前記配置手段にて出力するプリントデータは、さらに、所定サイズの出力媒体の少なくとも１辺の縁に余白を設けて配置するか、余白を設けずに配置するかの何れか一方を選択可能としたことを特徴とする請求項１、２の何れか１項に記載の証明写真処理装置。
【請求項４】
前記配置手段は、
比率調整した証明写真の画像を所定サイズの出力媒体に配置するとき、画像の向きを回転させて配置する機能を具備していることを特徴とする請求項１、２、３の何れか１項に記載の証明写真処理装置。
【発明の詳細な説明】
【技術分野】
【０００１】
本発明は、デジタルカメラやフィルムスキャナなどの写真画像取り込み装置を用いて取り込んだ写真画像等の画像を、レイアウトテンプレート（以下、単にテンプレートと言う。）に貼り込んだ画像データを、プリントデータとして出力装置に供給するように構成された画像処理装置に関するものである。
【背景技術】
【０００２】
従来より、デジタルカメラやフィルムスキャナなどの写真画像取り込み装置を用いて取り込んだ写真画像等の画像をテンプレートに貼り込んで、プリントデータとして出力装置に供給するように構成された画像処理装置としては、前記プリントデータを印画紙等の感光材料に焼き付けて現像処理する写真処理装置や、コンピュータのプリンタにてプリントするシステムや、ディスプレイ装置に表示するシステムなどが知られている。
【０００３】
特に、人物の顔画像が含まれている画像データを処理するように構成された証明写真用の写真処理装置（以下、単に、証明写真処理装置と言う。）の場合には、証明写真用のテンプレートに顔画像が含まれている画像を貼り込むとき、ディスプレイ画面に表示された顔の上端と顎の位置を指定すると、１枚の証明写真分の枠に対して顔の大きさと位置が所定の大きさと位置に配置されるように、画像の大きさを自動的に拡大／縮小するとともに、顔の位置を所定の中心位置に自動的に配置する比率調整手段と、このように比率調整した１枚の証明写真分の画像を、所定のサイズの印画紙等の出力媒体に、複数枚分並べたものをプリントデータとして出力する配置手段とを備えている。このような比率調整手段と配置手段によって実現される機能を、以下においては単に「証明写真テンプレート機能」と言う。
【０００４】
以上のようなテンプレート機能においては、所定のサイズの印画紙に画像を配置するときに、各証明写真の周囲に余白を設けて配置するように制御されていた。
そのため、一枚の印画紙に複数枚分の証明写真が配置されているため、１枚ずつの証明写真に切り離すときに、証明写真と証明写真の間を２回カットしなければならないので、手間がかかるという問題があった。
また、異なるオーダーの証明写真を同一の印画紙にプリントする場合において、証明写真として撮影された１又は複数の写真画像が互いに離隔して配置されることにより余白部分が形成され、且つ、各写真画像がいずれのオーダーに係るものであるかを特定するオーダー特定情報が当該写真画像の近傍にある前記余白部分に表示されるようなプリントデータを編集することが可能であることを特徴とする証明写真用画像処理装置（特許文献１）などが提案されている。
【０００５】
【特許文献１】特開２００４−４２５５６号公報
【発明の開示】
【発明が解決しようとする課題】
【０００６】
以上のように、証明写真の画像どうしの間に余白を設けると、その余白の部分の印画紙が無駄になるという問題があった。
また、所定のサイズの印画紙に複数の証明写真を配置する場合、証明写真の画像のプリント開始位置が、必ず前記印画紙の縁の内側になるように制御されているため、通常の縁無しプリント（例えばスタジオ写真等）にはできないという問題があった。
さらに、前述したように、通常の縁無しプリント（例えばスタジオ写真等）にできないため、４辺の縁の部分の余白を必ず切除する手間が必要であるという問題があった。
これらの問題は、証明写真用の写真処理装置が、常に、前述したような証明写真テンプレート機能によって制御されているために発生する問題である。
そこで、証明写真テンプレート機能のうち、比率調整手段はそのまま継承して、配置手段をよりフレキシブルな機能に改善して、印画紙の無駄を無くすことや、通常の縁無しプリント（例えばスタジオ写真等）にも対応可能な証明写真処理装置を提案することを目的として、本発明はなされたものである。
【課題を解決するための手段】
【０００７】
本発明の請求項１においては、
１枚の証明写真分の枠に対して顔の大きさと位置が所定の大きさと位置に配置されるように、画像の大きさを自動的に拡大／縮小するとともに、顔の位置を所定の中心位置に自動的に配置する比率調整手段と、
比率調整した１枚の証明写真分の画像を、所定のサイズの出力媒体に、複数枚分並べたものをプリントデータとして出力する配置手段とを備えた証明写真処理装置において、
前記配置手段は、
複数の証明写真分の画像どうしの間の余白を調整可能とした。
請求項２の発明では、
前記配置手段は、複数の証明写真分の画像どうしの間の余白を調整して、余白を設けて配置するか、否かの何れか一方に選択可能とした。
なお、画像の周辺部分が無地でない場合には、余白を設けずに配置すると、隣り合う画像との境界に不連続部分が発生するので、切断した場合でも前記不連続部分が残りやすい。したがって、そのような場合には、従来の証明写真のように、複数の証明写真分の画像どうしの間に余白を設けることが好ましい。この場合、余白の大きさを調節可能として、余白の大きさを正の数値とするとよい。
画像の周辺部分が無地もしくは無地に近い場合には、余白を設けずに配置すると、出力媒体の無駄を少なくできる。この場合、余白の大きさを０もしくは負の数値とし、重なる部分は何れか一方の画像とするとよい。
【０００８】
請求項３の発明では、
前記配置手段にて出力するプリントデータは、さらに、所定サイズの出力媒体の少なくとも１辺の縁に余白を設けて配置するか、余白を設けずに配置するかの何れか一方を選択可能とした。
なお、所定サイズの出力媒体の縁に余白を設けて配置すると、従来の証明写真と同様のものが得られる。この場合、縁の余白の大きさを調節する縁余白調節手段を設け、縁の余白の大きさを正の数値とするとよい。
出力媒体の１辺の縁に余白を設けずに配置すると、証明写真テンプレート機能によって比率が自動的に調整された縁無しプリント（例えばスタジオ写真等）を得ることができる。この場合、縁の余白の大きさを調節する縁余白調節手段を設け、縁の余白の大きさを０もしくは負の数値とするとよい。
【０００９】
請求項４の発明では、
前記配置手段は、比率調整した証明写真の画像を所定サイズの出力媒体に配置するとき、画像の向きを回転させて配置する機能を備えた。
なお、証明写真のサイズと出力媒体のサイズとの関係によっては、証明写真を縦向き（正立状態）に配置するか、横に90度回転させて配置するかで、所定の同じサイズの出力媒体に配置できる証明写真の枚数が異なることが多くあるので、印画紙を効率よく使用するために、証明写真の向きを変えて適した配置を見いだすことができる。このような処理をシミュレーションすることによって、適した向きを自動的に決定するこもできる。
【発明の効果】
【００１０】
本発明の請求項１、２によれば、１枚の証明写真分の枠に対して顔の大きさと位置が所定の大きさと位置に配置されるように、画像の大きさを自動的に拡大／縮小するとともに、顔の位置を所定の中心位置に自動的に配置する比率調整手段と、比率調整した１枚の証明写真分の画像を、所定のサイズの出力媒体に、複数枚分並べたものをプリントデータとして出力する配置手段とを備えた証明写真処理装置において、前記配置手段は、複数の証明写真分の画像どうしの間の余白を調整できるので、従来のような余白付きのプリントデータ、もしくは出力媒体の無駄が無く手間もかからない余白無しのプリントデータも得られる。
【００１１】
請求項３によれば、前記配置手段にて出力するプリントデータは、さらに、所定サイズの出力媒体の縁に余白を設けて配置するか、余白を設けずに配置するかの何れか一方を選択可能としたので、従来の証明写真と同様のプリントデータ、もしくは、証明写真テンプレート機能によって比率が自動的に調整された縁無しプリント（例えばスタジオ写真等）の何れかを選択できる。
【００１２】
請求項４によれば、前記配置手段は、比率調整した証明写真の画像を所定サイズの出力媒体に配置するとき、画像の向きを回転させて配置する機能を備えているので、証明写真のサイズと出力媒体のサイズとの関係に応じて最適の配置を得ることができる。
【発明を実施するための最良の形態】
【００１３】
以下、本発明の好適な実施の形態について、図面を参照しつつ説明する。
【００１４】
図１は、本発明の一実施形態に係る証明写真処理装置の構成を示すブロック図である。  図中、１は、本実施形態の証明写真処理装置であり、
後述する証明写真テンプレート機能を実現してプリントデータを出力すると共に、当該証明写真処理装置１の各部の制御を行う制御装置２と、制御装置２から供給されたプリントデータに基づいて画像を形成して、印画紙等の出力媒体に出力する画像形成部３とを備えている。
【００１５】
前記制御部２は、着脱可能な各種記憶媒体との間で画像データを読み書き可能なドライブ装置２１と、プログラムや種々のデータを記憶するハードディスク２２を備え、前記記録媒体に記録されている画像データを前記制御部２に読み込み、前記ハードディスク２２に記憶できるようになっている。また、前記制御部２には、オーダー番号やプリントサイズ・枚数など各種情報を前記制御部２に対して入力する入力手段２３（例えば、キーボードやマウス等）を備え、また、プリントデータを含めた各種情報を表示する出力手段２４（例えば、液晶ディスプレイ等）を備えている。
さらに、各部を系統的に制御するとともに、所定の証明写真テンプレート機能を実現するように構成されたプログラムがインストールされたＣＰＵを備えている。
【００１６】
前記画像形成部３は、制御部２のハードディスク２２内のプリントデータ記憶部２０３（図２参照）に記憶されているプリントデータに基づいて、例えば、印画紙に対して露光を行う露光部と、露光部により画像データの潜像が形成された印画紙に対して現像、漂白定着、安定化、乾燥などの処理を施して排出する現像処理部とから構成されている。
なお、前記画像形成部３には、カラーインクジェットプリンタ方式を採用することもできる。
【００１７】
前記制御部２は、上記画像形成部３における露光部の制御（印画紙の搬送制御も含む。）を行うと共に、前記現像処理部の制御も系統的に行うように構成されている。
【００１８】
以上に述べたように、本実施形態の証明写真処理装置１によって、制御部２を用いて証明写真用の画像に基づいたプリントデータを編集し、当該プリントデータに基づいて画像形成部３の露光部によって印画紙に露光し、さらに現像処理部により現像処理を施し、プリントデータに基づいた証明写真の画像を印画紙に形成するのである。
【００１９】
また、本実施形態における制御部２は、図４、５に示したような受付装置に内蔵することができる。または、後述する証明写真テンプレート機能を実現するべく所定のアプリケーションプログラムがインストールされたパーソナルコンピュータで実現することもできる。
さらに、前記制御部２は画像形成部３と共に、自立屋外型の証明写真ボックスに内蔵することもできる。
【００２０】
次に、図２を参照して、図１に示した本発明の一実施形態に係る制御部２における証明写真テンプレート機能を実現するための各部のブロック構成を説明する。
【００２１】
前記制御部は、以下の機能ブロックから構成されている。
２０１はテンプレートデータ記録部であり、各種の証明写真の規格寸法等が記録されている。
２０２は証明写真用の画像データ記憶部であり、各種の記録媒体から入力された顔写真を含む画像データが取り込まれて記憶されている。
２０３はプリントデータ記憶部であり、後述するプリントデータ生成部２０９で生成されたプリントデータが記憶される領域である。
２０４は印画紙サイズ設定部であり、使用する印画紙のサイズが設定されている。
２０５は証明写真様式設定部であり、前記入力手段２３によって証明写真の種類や枚数等の様式、及び、印画紙の縁に余白を設けるか否か、また、証明写真の画像の間に余白を設けるか否か、が設定されている。
２０６は比率調整手段であり、前記テンプレートデータ記憶部２０１に記録されている規格に基づいて、１枚の証明写真分の枠に対して、顔の大きさと位置が所定の大きさと位置に配置されるように、画像の大きさを自動的に拡大／縮小するとともに、顔の位置を所定の中心位置に自動的に配置するように構成されている。このとき、顔の大きさ（上端と顎の位置）は自動的に認識する機能を備えてもよいが、前記入力手段２３を操作して、手動で指定することが簡便である。
２０７は配置手段であり、前記比率調整手段２０６で比率調整した１枚の証明写真分の画像を、前記印画紙サイズ設定部２０４で設定された所定のサイズの出力媒体に、前記証明写真様式設定部２０５で設定された複数枚分並べたものをプリントデータとして出力するように構成されている。このとき、余白の有無や、印画紙に対する画像の向きに応じた配置を行うことができるように構成されている。
なお、上記画像データ記憶部２０２、プリントデータ記憶部２０３、印画紙サイズ設定部２０４、及び証明写真様式設定部２０５はハードディスク２２内の所定の領域に設定されている。
また、上記比率調整手段２０６と配置手段２０７とでプリントデータ生成部２０９を構成し、このプリントデータ生成部２０９は、所定のプログラムで動作する前記ＣＰＵで実現されている。
【００２２】
次に、前記配置手段２０７の動作を、図３に示したフローチャートに基づいて説明する。
先ず、ステップＳ１において、前記印画紙サイズ設定部２０４で設定された印画紙のサイズに対して、前記証明写真様式設定部２０５で設定された証明写真の種類や枚数等の様式、及び、印画紙の縁に余白を設けるか否か、また、証明写真の画像の間に余白を設けるか否か、等の設定を確認する。以上の設定によって、証明写真の画像を配置可能な領域が求められる。ここで、印画紙のサイズと証明写真の枚数とから、設定された枚数を配置可能か否かをチェックする。可能であればステップＳ２へ進み、不可能であれば、設定変更を要求してステップＳ１へ戻る。
ステップＳ２においては、１枚の証明写真の画像を、前記配置可能な領域の右上に配置する。
ステップＳ３においては、ステップＳ２で配置した１枚の証明写真の画像の下に次の画像が配置できるか否かをチェックする。可能であれば、ステップＳ２で次の画像を配置する。不可能であれば、ステップＳ４へ進む。
【００２３】
ステップＳ４では、配置した画像の左側に次の画像が配置できるかチェックする。可能であれば、ステップＳ２で次の画像を配置する。不可能であれば、ステップＳ５へ進む。  ステップＳ５では、設定された枚数と以上の処理で配列済みの枚数とを比較して、まだ、プリントすべき枚数が残っているか否かをチェックして、まだ残っている場合には、ステップＳ６へ進んで、印画紙の枚数を１枚増やして、ステップＳ２からの処理を繰り返す。残っていない場合には、ステップＳ７へ進む。
【００２４】
ステップＳ７では、以上の処理によって必要とした印画紙の枚数を記憶する。
続いて、ステップＳ８に進んで、印画紙の向きを回転させて画像を配置できるかどうかの処理を行ったか否かをチェックする。行っていない場合にはステップＳ９へ進み、行った場合にはステップＳ１０へ進む。
ステップＳ９では、印画紙の向きを回転させたて画像を配置できるかどうかのチェックを行い、配置できなければステップＳ７へ戻り、配置できればステップＳ２へ戻って配置をチェックする。
ステップＳ１０では、印画紙の向きを縦長にした場合と横長にした場合とで必要な印画紙の枚数を、ステップＳ７で記憶した枚数に基づいて比較して、必要な印画紙の枚数が少ない方の向きに印画紙を設定して、プリントデータを生成する。
【００２５】
このようにして生成されたプリントデータに基づいて、画像形成部３では証明写真の画像を印画紙に形成するのである。
【００２６】
以上のようにして、印画紙の向きを変えて、配置する画像の枚数をチェックするので、設定された枚数の証明写真を、従来より少ない枚数の印画紙にプリントすることができる。
なお、上記証明写真処理装置に備えている比率調整手段を用いて、人物の全体像の上端と、足先とを指定することにより、人物の全身画像が、印画紙の所定の枠内に所定の割合で配置されるように自動的に拡大・縮小されるので、証明写真だけでなく、全身写真も適切な配置とすることができる。
【実施例１】
【００２７】
次に、実施例１にかかる証明写真処理装置として、図４、５に示した受付装置１を説明する。
図４において、
受付装置１００の筐体１１０の上面には表示面にタッチパネルを備えた液晶ディスプレイ装１２０を備え、筐体１１０の上面で液晶ディスプレイ装置１２０の前面には前記読取装置１３０が設けられている。
前記読取装置１３０には、マルチメディアカード、メモリスティック、スマートメディア、コンパクトフラッシュ（登録商標）、ＣＤ−ＲＯＭ、ＣＤ−Ｒ、ＣＤ−ＲＷ、ＤＶＤ−Ｒ、ＭＯ、ＺＩＰ等の種々の記録メディアを読み書きするためのドライブユニットが配置されており、また、ＵＳＢ接続ポートや赤外線通信装置等も備えている。
さらに、筐体１１０の前面側には受付証を発行するレシート発行装置１４０を備えている。
図５において、
タッチパネル式の液晶ディスプレイ装置１２０は、液晶ユニット１２１と、この液晶ユニット１２１の画面に重ねて形成されたタッチパネルユニット１２２とから構成されている。前記タッチパネルユニット１２２の表面を人の指等でタッチすると、タッチした状態と、タッチした位置情報とからなるタッチ情報を出力するように構成されている。
【００２８】
制御部１２４は、前記タッチパネルユニット１２２から入力されるタッチ情報を認識して指示情報に変換するタッチパネル認識部１４１と、前記読取装置１３０から入力される写真画像情報に基づいてフィルター処理を行ったり、トリミング処理を行ったりする画像処理部１４２と、前記読取装置１３０から入力される写真画像をテンプレートに貼り込むテンプレート処理部１４３とを備えている。
この制御部１２４は、半導体メモリを備えたＣＰＵと、ハードディスク装置とを含み、前記タッチパネル認識部１４１、画像処理部１４２、テンプレート処理部１４３は、専用プログラムに従って動作する前記ＣＰＵによって実現されている。なお、１４０はレシート発行装置である。
以上の構成においては、タッチパネルユニット１２２が、図１における入力手段に相当し、制御部１２４が、図１における制御部２に相当している。
【００２９】
以上の構成の証明写真処理装置にる証明写真のテンプレート処理の例を説明する。
使用する印画紙のサイズを127ミリ×89ミリ、証明写真のサイズを40ミリ×50ミリとした場合、従来のように、印画紙の縁の余白の大きさを３ミリ、証明写真の画像間の余白を縦横とも３ミリとした場合、印画紙を横長に設定して、証明写真を縦長に設定した場合には、図６に示したように２枚分の証明写真の画像しか配置できない。
しかし、同じサイズの印画紙であっても、印画紙の縁の余白の大きさを０ミリ、証明写真の画像間の余白を縦１ミリ、縦３ミリとして、印画紙を縦長に設定して、証明写真を縦長に設定すると、図７に示したように４枚分の証明写真の画像を配置できるのである。
従って、４枚分の証明写真が必要な場合には、従来の場合には２枚の印画紙が必要であるが、本発明によれば１枚の印画紙で良いので、印画紙のコストが半減できるという効果が得られる。
なお、縁の余白の調整範囲は、−１ミリ〜＋３ミリの範囲であり、負の数値とした場合には縁の余白が無い状態で出力される。また、証明写真の画像どうしの間の余白の調整範囲は０ミリ〜＋３ミリの範囲である。
【図面の簡単な説明】
【００３０】
【図１】本発明の証明写真処理装置のブロック構成図である。
【図２】前記証明写真処理装置の要部の機能ブロック構成図である。
【図３】前記証明写真処理装置の要部の動作を説明するフローチャートである。
【図４】実施例としての受付装置の構成図である。
【図５】前記受付装置のブロック構成図である。
【図６】従来技術によって２枚しか配置できない例を示す説明図である。
【図７】本発明によって４枚の証明写真が配置できる例を示す説明図である。
【符号の説明】
【００３１】
２      制御部
２０６  比率調整手段
２０７  配置手段
【図１】
2006154232.tif 000003
【図２】
2006154232.tif 000004
【図３】
2006154232.tif 000005
【図４】
2006154232.tif 000006
【図５】
2006154232.tif 000007
【図６】
2006154232.tif 000008
【図７】
2006154232.tif 000009